(57)【要約】【課題】動画撮影中に静止画像を撮影し、その後、動画撮影を続行した場合に、メインコンデンサ充電音が記録されることを回避する。【解決手段】カメラに装着されたストロボ発光装置の種別又は機能を判定し、静音ストロボ発光装置の場合はストロボ光の発光を許可して動画撮影中における静止画撮影を行い、静音ストロボ発光装置ではなく、充電停止機能を有するストロボ発光装置が装着されている場合は、動画撮影中におけるストロボ光の発光のために充電を要しない限り発光許可し、その後のメインコンデンサの充電を禁止する。また、静音ストロボではなく、充電停止制御も有していないストロボ発光装置が装着されている場合は、動画記録中における静止画撮影時のストロボ発光を禁止する。【選択図】図４
2010287946.tif 000002
【特許請求の範囲】
【請求項１】
動画の撮影の途中で静止画を撮影する機能を有する撮像装置であって、
前記撮像装置に装着されているストロボ発光装置の種別又は機能の情報を取得する取得手段と、
前記取得手段により取得された情報に基づいて、動画の撮影の途中での静止画の撮影に伴う前記ストロボ発光装置による発光関連動作を制御する制御手段と、
を有することを特徴とする撮像装置。
【請求項２】
前記取得手段は、前記撮像装置に装着されているストロボ発光装置との通信により、当該ストロボ発光装置から前記種別又は機能の情報を取得することを特徴とする請求項１に記載の撮像装置。
【請求項３】
前記制御手段は、前記撮像装置に装着されているストロボ発光装置が内蔵のメインコンデンサを充電する際の発振周波数が可聴周波数帯域外である装置の場合は、動画の撮影の途中での静止画の撮影時における当該ストロボ発光装置によるストロボ光の発光を許可することを特徴とする請求項１に記載の撮像装置。
【請求項４】
前記制御手段は、前記撮像装置に装着されているストロボ発光装置が充電停止制御機能を有する場合は、動画の撮影の途中での静止画の撮影時における当該ストロボ発光装置によるストロボ光の発光のために充電を要しない限り発光を許可することを特徴とする請求項１に記載の撮像装置。
【請求項５】
前記制御手段は、前記撮像装置に装着されているストロボ発光装置が内蔵のメインコンデンサを充電する際の発振周波数が可聴周波数帯域外である装置ではなく、且つ充電停止制御機能を有しない場合は、動画の撮影の途中での静止画の撮影時における当該ストロボ発光装置によるストロボ光の発光を禁止することを特徴とする請求項１に記載の撮像装置。
【請求項６】
前記制御手段は、動画の撮影の途中での静止画の撮影時における当該ストロボ発光装置によるストロボ光の発光のために充電を要しない限り発光を許可する場合は、その旨を表示部に表示することを特徴とする請求項４に記載の撮像装置。
【請求項７】
前記制御手段は、動画の撮影の途中での静止画の撮影時における当該ストロボ発光装置によるストロボ光の発光を禁止する場合は、その旨を表示部に表示することを特徴とする請求項５に記載の撮像装置。
【請求項８】
動画の撮影の途中で静止画を撮影する機能を有する撮像装置の制御方法であって、
前記撮像装置に装着されているストロボ発光装置の種別又は機能の情報を取得する取得工程と、
前記取得工程により取得された情報に基づいて、動画の撮影の途中での静止画の撮影に伴う前記ストロボ発光装置による発光関連動作を制御する制御工程と、
を有することを特徴とする撮像装置の制御方法。
【請求項９】
請求項８に記載の撮像装置の制御方法をコンピュータにより実行するためのプログラム。
【発明の詳細な説明】
【技術分野】
【０００１】
本発明は、撮像装置に関し、特にストロボ発光装置を着脱自在に装着可能な撮像装置に関する。
【背景技術】
【０００２】
この種の撮像装置は、ストロボ発光装置を撮像装置に装着して動画を撮影し記録している途中で、一旦、動画撮影を停止してストロボ光を用いて静止画を撮影し、その後、動画撮影及び記録を続行する形態で使用される場合がある。
【０００３】
この場合、一般に、ストロボ発光装置に内蔵されたストロボ発光用のメインコンデンサは、ストロボ光を発光した後、自動的に内蔵の充電回路により充電される。この際、充電回路によりメインコンデンサを充電する際に発せられる充電音（以下、単に充電音という）が動画記録媒体の音声記録領域に記録されてしまうという問題があった。
【０００４】
この問題を解決する手法として、下記の特許文献１に記載の各種の手法が提案されている。すなわち、特許文献１に記載のスチルカメラ付ビデオカメラでは、メインコンデンサの充電中は音声信号にミュートを施すことによって、充電音が記録されないようにしている。また、特許文献１では、メインコンデンサの充電中は音声信号のアンプゲインを低くすることによって、充電音も含めて音声信号の記録レベルを低くしている。
【０００５】
また、特許文献１では、充電中に生じる発振音と同じ周波数の信号成分を除去している。さらに、特許文献１では、充電中は、メモリに予め登録されている音声信号を動画像と共に記録している。
【０００６】
また、近年、ストロボ発光装置内の充電回路の発振周波数を可聴帯域外に設定したストロボ発光装置が提案されている。この種のストロボ発光装置を動画撮影の途中（以下、動画撮影中という）に静止画撮影可能な撮像装置に装着して動画を撮影する場合は、動画撮影中に静止画像を撮影して動画撮影を続行したとしても、充電音が記録されることはない。
【先行技術文献】
【特許文献】
【０００７】
【特許文献１】特開昭６３−９９６６２０号公報
【発明の概要】
【発明が解決しようとする課題】
【０００８】
しかしながら、従来の撮像装置では、以下のような問題があった。すなわち、特許文献１のように、充電中は音声信号にミュートを施した場合は、静止画を撮影した後メインコンデンサの充電が完了するまでの間は、音声信号を記録することができなくなってしまう。
【０００９】
また、特許文献１のように、音声信号の記録レベルを低くした場合は、静止画を撮影した後、メインコンデンサの充電が完了するまでの間の音声信号の記録レベルが低いため、再生時に音声レベルが不自然に変動してしまう。
【００１０】
また、特許文献１のように、充電音と同じ周波数の信号成分を除去する技術については、当該技術の利用機会が上記の充電音の周波数が既知の場合に限定されてしまい、各種のストロボ発光装置に適用することはできない。
【００１１】
また、特許文献１のように、充電中にはメモリに予め登録されている音声信号を動画像と共に記録する場合は、充電中には、被写体の音声を記録することができない。
【００１２】
さらに、充電回路の発振周波数を可聴帯域外の周波数に設定した場合は、動画記録中に静止画を撮影した後に引き続き動画像を記録する場合でも、充電音が記録されることはない。
【００１３】
しかしながら、この技術の場合は、ユーザが所有しているストロボ発光装置の発振回路の発振周波数が必ずしも可聴帯域外の周波数に設定されているとは限らず、当該技術の恩恵を享受できるユーザが限られてしまう。
【００１４】
本発明は、このような技術的な背景の下になされたもので、その目的は、動画撮影の途中で静止画像を撮影し、その後、動画撮影を続行した場合に、ストロボ発光用のメインコンデンサを充電する際に発せられる充電音が記録されることを回避することにある。
【課題を解決するための手段】
【００１５】
上記目的を達成するため、本発明にかかる撮像装置は、動画の撮影の途中で静止画を撮影する機能を有する撮像装置であって、前記撮像装置に装着されているストロボ発光装置の機種又は機能の情報を取得する取得手段と、前記取得手段により取得された情報に基づいて、動画の撮影の途中での静止画の撮影に伴う前記ストロボ発光装置による発光関連動作を制御する制御手段とを有することを特徴とする。
【発明の効果】
【００１６】
本発明によれば、動画撮影の途中でストロボ発光を用いて静止画像を撮影し、その後、動画撮影を続行した場合に、ストロボ発光用のメインコンデンサを充電する際に発せられる充電音が記録されることを回避することが可能となる。
【図面の簡単な説明】
【００１７】
【図１】本発明の実施の形態における撮像装置の構成を示すブロック図である。
【図２】撮像装置とストロボ発光装置の間で通信される信号を示すタイミングチャートである。
【図３】撮像装置とストロボ発光装置との間の通信で使用されるコマンドを示す図である。
【図４】動画撮影中の静止画撮影に伴うストロボ発光装置による発光関連動作の制御を示すフローチャートである。
【発明を実施するための形態】
【００１８】
以下、本発明を実施するための形態を、図面に基づいて説明する。
【００１９】
図１は、本発明の実施の形態に係る撮像装置の概略構成を示すブロック図である。図１において、１はカメラ本体、２はカメラ本体１の動作を制御するマイクロコントローラ（以下、ＣＭＣＵという）、３はカメラ本体１に各種アクセサリを装着するためのアクセサリシューである。
【００２０】
４はストロボ発光装置、５はストロボ発光装置４の動作を制御するマイクロコントローラ（以下、ＳＭＣＵという）、６はストロボ発光装置４をカメラ本体１などに装着するためのストロボ脚部である。カメラ本体１にストロボ発光装置４を装着する際は、アクセサリシュー３とストロボ脚部６とを噛み合わせて装着する。
【００２１】
なお、ＣＭＣＵ２は、図２のタイミングチャートに係る通信制御や、図４のフローチャートに係るストロボ光の発光制御を行うためのプログラム等を記憶したメモリが内蔵されている。また、ＳＭＣＵ５には、図２のタイミングチャートに係る通信制御等を行うためのプログラム等を記憶したメモリが内蔵されている。
【００２２】
また、アクセサリシュー３及びストロボ脚部６にはそれぞれ、Ｘ接点、シリアルクロック接点、シリアルデータ接点が設けられており、ストロボ発光装置４をカメラ本体１に装着した状態では、互いに対応する接点同士が接続される。
【００２３】
これにより、カメラ本体１のＣＭＣＵ２とストロボ発光装置４のＳＭＣＵ５とは、シリアルクロック接点で接続されるシリアルクロック線、シリアルデータ接点で接続されるシリアルデータ線を介して通信することができる。
【００２４】
図２は、カメラ本体（撮像装置）１とストロボ発光装置４の間で通信される信号を示すタイミングチャートである。
【００２５】
カメラ本体１のＣＭＣＵ２は、動画撮影の途中（以下、動画撮影中という）で不図示の静止画撮影ボタンが押下されると、ストロボ発光装置４のＳＭＣＵ５との間で通信を行うために、シリアルクロック線にクロック信号を送出する。この場合、ＣＭＣＵ２は、シリアルクロック線にクロック信号を連続して送出すると共に、シリアルデータ線を入力状態にした上でシリアルデータ線に所定のコマンド信号を送出することで、ＳＭＣＵ５から送信されるシリアルデータを受信する。
【００２６】
ストロボ発光装置４のＳＭＣＵ５は、上記のクロック信号に同期して、シリアルデータ線からのコマンド信号を取り込み、このコマンド信号に応じた各種処理を行うと共に、シリアルデータ線に所定のデータを出力する。
【００２７】
図３は、カメラ本体（撮像装置）１とストロボ発光装置４の間の通信で使用される信号を示す図である。
【００２８】
図３において、コマンドデータ０ｘ０は、カメラ本体１が、当該カメラ本体１に装着されたストロボ発光装置４に対して、その種別又は機能を問い合わせるコマンドである。ストロボ発光装置４のＳＭＣＵ５は、この問合せコマンドに応えて、当該ストロボ発光装置４の種別又は機能を示すデータをＣＭＣＵ２に送信する。
【００２９】
コマンドデータ０ｘ１は、発光量設定コマンドであり、ＣＭＣＵ２は、この発光量設定コマンドに続けて設定発光量を示すデータをＳＭＣＵ５に送信する。ＳＭＣＵ５は、この発光量設定コマンド及びデータを受信すると、それら発光量設定コマンド及びデータに基づいてストロボ光の発光量を設定し、実際に設定した発光量を示すデータをＣＭＣＵ２に送信する。
【００３０】
コマンドデータ０ｘ２は、ズーム設定コマンドであり、ＣＭＣＵ２は、このズーム設定コマンドに続けて設定ズーム位置を示すデータをＳＭＣＵ５に送信する。ＳＭＣＵ５は、このズーム設定コマンド及びデータを受信すると、それらズーム設定コマンド及びデータに基づいてズーム位置を設定し、実際に設定したズーム位置を示すデータをＣＭＣＵ２に送信する。
【００３１】
コマンドデータ０ｘ３は、充電制御コマンドであり、ＣＭＣＵ２は、この充電制御コマンドに続けて充電開始（０Ｘ０１）及び充電停止（０Ｘ０２）といった充電モードを示すデータをＳＭＣＵ５に送信する。ＳＭＣＵ５は、この充電制御コマンド及び充電モードのデータを受信すると、それら充電制御コマンド及び充電モードに基づいて充電制御を行うと共に、メインコンデンサ用の充電回路（図示省略）の状態を示すデータをＣＭＣＵ２に送信する。
【００３２】
コマンドデータ０ｘ４は、ＣＭＣＵ２からＳＭＣＵ５に送信される充電状態問合せコマンドである。ＳＭＣＵ５は、この充電状態問合せコマンドを受信すると、充電回路で充電されるストロボ発光用のメインコンデンサ（図示省略）の充電率あるいは充電電圧などの充電状態を検知し、その充電状態を示すデータをＣＭＣＵ２に送信する。
【００３３】
次に、本実施の形態に特有な動画撮影中の静止画撮影に伴うストロボ発光装置による発光関連動作の制御を、図４のフローチャートに基づいて説明する。
【００３４】
カメラ本体１のＣＭＣＵ２は、動画撮影中に静止画撮影ボタンが押下されて静止画レリーズスイッチがＯＮされると、図４のフローチャートに示すように動画撮影中の静止画撮影に伴うストロボ発光装置による発光関連動作の制御を行う。なお、発光関連動作とは、発光動作およびストロボ発光用のメインコンデンサの充電動作のことを表している。
【００３５】
ＣＭＣＵ２は、動画撮影中に静止画を撮影する時は、カメラ本体１の各種設定を静止画撮影に適したものに変更するために、動画撮影動作及び動画記録動作を一時的に停止する（Ｓ６０１）。この際、ＣＭＣＵ２は、記録された動画ファイルの時間的継続性を維持するために、静止画撮影が終了するまでの間、所定の静止画像を動画ファイルに記録する。
【００３６】
ＣＭＣＵ２は、カメラ本体１に装着されているストロボ発光装置４のＳＭＣＵ５に上記の問合せコマンドを送信し、当該ストロボ発光装置４の種別又は機能の情報を取得する（Ｓ６０２）。
【００３７】
ＣＭＣＵ２は、ストロボ発光装置４から取得した情報に基づいて、ストロボ発光装置４が充電回路の充電時の発振周波数が可聴周波数帯域外の静音ストロボ発光装置であるか否かを判別する（Ｓ６０３）。そして、ストロボ発光装置４が静音ストロボ発光装置である場合は（Ｓ６０３：ＹＥＳ）、ストロボ光の発光量を決定する（Ｓ６０４）。そして、ＣＭＣＵ２は、上記の発光量設定コマンド及びデータをＳＭＣＵ５に送信し（Ｓ６０４）、静止画の蓄積動作を開始し（Ｓ６０５）、所定のタイミングでストロボ光を発光させ（Ｓ６０６）、静止画の取込みと記録媒体への記録を行う（Ｓ６０７）。
【００３８】
ストロボ発光装置４が静音ストロボ発光装置ではない場合は（Ｓ６０３：ＮＯ）、ＣＭＣＵ２は、ストロボ発光装置４が充電停止制御機能を有するストロボ発光装置であるか否かを判別する（Ｓ６１０）。
【００３９】
ストロボ発光装置４が充電停止制御機能を有するストロボ発光装置である場合は（Ｓ６１０：ＹＥＳ）、ＣＭＣＵ２は、静音ストロボ発光装置の場合と同様に、Ｓ６０４〜Ｓ６０７の制御を行う。ただし、この場合は、Ｓ６０６では、ＣＭＣＵ２は、ＳＭＣＵ５に対し、ストロボ光の発光のために充電を要しない限り発光を許可する。そのため、Ｓ６０４で、ストロボ発光装置４のメインコンデンサの充電状態と決定したストロボ光の発光量とに基づいて発光可能かどうかを判断し、発光可能でなければＳ６１１に移行する。
【００４０】
一方、ストロボ発光装置４が充電停止制御を有しないストロボ発光装置である場合は（Ｓ６１０：ＮＯ）、ＣＭＣＵ２は、ストロボ発光装置４に対してストロボ光の発光を禁止する（Ｓ６１１）。そして、ＣＭＣＵ２は、ストロボ光を発光させない状態で静止画蓄積を行い（Ｓ６１２）、所定の蓄積時間が経過した後に、ステップＳ６０７の静止画取込みと記録媒体への記録を行う。
【００４１】
ＣＭＣＵ２は、静止画の取込みと記録を行った後、再度、ストロボ発光装置４が静音ストロボ発光装置であるか否かを判別する（Ｓ６０８）。このとき、再度判別を行わずにＳ６０３の判別結果を記憶しておき、その判別結果に基づいて後に続く処理を行っても構わない。ストロボ発光装置４が静音ストロボ発光装置でない場合には、ＣＭＣＵ２は、内蔵のメインコンデンサの充電禁止コマンドをストロボ発光装置４に対して発行する（Ｓ６１３）。この後、ＣＭＣＵ２は、動画記録を再開する（Ｓ６０９）。そして、ストロボ発光装置４が静音ストロボ発光装置の場合には、動画記録を再開した後にメインコンデンサの充電を行う。
【００４２】
このように、本実施の形態では、装着されているストロボ発光装置が静音ストロボ発光装置である場合には、動画撮影時の静止画撮影におけるストロボ光の発光を許可している。また、装着されているストロボ発光装置が充電停止制御機能を有する場合には、動画撮影時の静止画撮影におけるストロボ光の発光のために充電を要しない限り発光を許可している。
【００４３】
また、ストロボ発光装置が静音ストロボ発光装置ではなく、充電停止制御機能も有していない場合には、たとえ内蔵のメインコンデンサが満充電状態であったとしても、動画撮影時の静止画撮影におけるストロボ光の発光を禁止している。
【００４４】
このように、本実施の形態では、装着されているストロボ発光装置の種別又は機能に応じて、動画撮影中の静止画撮影に伴うストロボ発光装置による発光関連動作を適切に制御することで、メインコンデンサを充電する際の充電音が記録されることを回避している。
【００４５】
なお、本発明は、上記の実施の形態に限定されることなく、各種の形態で応用変形することが可能である。例えば、装着しているストロボ発光装置が静音ストロボ発光装置ではない場合であっても、ユーザの意志でストロボ光を発光させて動画撮影中の静止画撮影を行えるようなモードをボタン操作等で設定できるようにすることも可能である。
【００４６】
また、動画撮影中の静止画撮影時に、ストロボ発光装置に内蔵されたメインコンデンサが満充電状態であり、且つストロボ光の発光が禁止されている場合は、その旨をカメラ本体１の表示部に表示させることも可能である。さらに、動画撮影中の静止画撮影においてストロボ光の発光のために充電を要しない限り発光を許可する場合も、決定された発光量に応じて発光が許可されたり禁止されたりするため、その旨をカメラ本体１の表示部に表示させることが望ましい。
【００４７】
また、本発明目的は、以下の処理を実行することによっても達成される。すなわち、
上述した実施の形態に機能を実現するソフトウェアのプログラムコードを記録した記憶媒体を、システム或いは装置に供給し、そのシステム或いは装置のコンピュータ（又はＣＰＵやＭＰＵ）が記録媒体に格納されたプログラムコードを読み出す処理である。
【００４８】
この場合、記憶媒体から読み出されたプログラムコード自体が前述した実施の形態の機能を実現することになり、そのプログラムコード及び該プログラムコードを記憶した記憶媒体は、本発明を構成することになる。
【符号の説明】
【００４９】
１…カメラ本体
２…ＣＭＣＵ（カメラ本体に内蔵）
３…アクセサリシュー
４…ストロボ発光装置
５…ＳＭＣＵ（ストロボ発光装置に内蔵）
【図１】
2010287946.tif 000003
【図２】
2010287946.tif 000004
【図３】
2010287946.tif 000005
【図４】
2010287946.tif 000006